(57)【要約】【課題】従来の知恵の輪にはない解き方を必要とし、興味や意欲を長期間持たせることのできる知恵の輪パズルを提供する。【解決手段】第１部材と、環状の部材である第２部材を含む知恵の輪パズルであって、前記第１部材は、連結支柱と、第１小環と、第２小環と、第１大環と、前記連結支柱より略同一方向に向かって順に延設される離脱防止部と、第１支柱と、第２支柱と、を含み、前記第１支柱は第１リング係止部を含み、前記第２支柱は第２リング係止部を含み、前記第１小環は前記第１リング係止部により前記第１支柱に揺動可能に係止され、前記第２小環と前記第１大環は前記第２リング係止部により前記第２支柱に揺動可能に係止され、前記離脱防止部は、前記第１小環と前記第１大環を通り、前記第１支柱が前記第２小環を通り、前記離脱防止部により、前記第１小環と前記第１大環の可動範囲が規定され、前記第１小環により、前記第２小環の可動範囲が規定される。【選択図】図１
2019083832.tif 000002
【特許請求の範囲】
【請求項１】
第１部材と、環状の部材である第２部材を含む知恵の輪パズルであって、
前記第１部材は、
連結支柱と、第１小環と、第２小環と、第１大環と、
前記連結支柱より略同一方向に向かって順に延設される離脱防止部と、第１支柱と、第２支柱と、を含み、
前記第１支柱は第１リング係止部を含み、
前記第２支柱は第２リング係止部を含み、
前記第１小環は前記第１リング係止部により前記第１支柱に揺動可能に係止され、
前記第２小環と前記第１大環は前記第２リング係止部により前記第２支柱に揺動可能に係止され、
前記離脱防止部は、前記第１小環と前記第１大環を通り、
前記第１支柱が前記第２小環を通り、
前記離脱防止部により、前記第１小環と前記第１大環の可動範囲が規定され、
前記第１小環により、前記第２小環の可動範囲が規定される知恵の輪パズル。
【請求項２】
前記第１大環の長軸が、前記第１小環及び前記第２小環の長軸の２倍以上である請求項１に記載の知恵の輪パズル。
【請求項３】
前記第１部材は、第３小環と、第２大環と、第３支柱をさらに含み、
前記第３支柱は、前記第２支柱からみて、前記第１支柱と反対側の前記連結支柱より、前記第２支柱と略同一方向に向かって順に延設され、
前記第３支柱は第３リング係止部を含み、
前記第３小環と前記第２大環は前記第３リング係止部により前記第３支柱に揺動可能に係止され、
前記第１支柱はさらに前記第２大環を通り、
前記第２支柱は前記第２大環及び前記第３小環を通り、
前記第１小環により前記第２大環の可動範囲が規定され、
前記第２小環により前記第３小環の可動範囲が規定される請求項１に記載の知恵の輪パズル。
【請求項４】
第１部材と、環状の部材である第２部材を含む知恵の輪パズルであって、
前記第１部材は、
連結支柱と、第１小環と、互いに連結された第２小環及び第１鎖環と、
前記連結支柱より略同一方向に向かって順に延設される離脱防止部と、第１支柱と、第２支柱と、を含み、
前記第１支柱は第１リング係止部を含み、
前記第２支柱は第２リング係止部を含み、
前記第１小環は前記第１リング係止部により前記第１支柱に揺動可能に係止され、
前記第２小環は前記第２リング係止部により前記第２支柱に揺動可能に係止され、
前記離脱防止部は、前記第１小環と前記第１鎖環を通り、
前記第１支柱が前記第２小環を通り、
前記離脱防止部により、前記第１小環と前記第１鎖環の可動範囲が規定され、
前記第１小環により、前記第２小環の可動範囲が規定される知恵の輪パズル。
【請求項５】
第１部材と、環状の部材である第２部材を含む知恵の輪パズルであって、
前記第１部材は、
連結支柱と、第１小環と、第２小環と、第３小環と、第１鎖環と、前記第３小環と前記第１鎖環とを互いに連結する第２鎖環と、
前記連結支柱より略同一方向に向かって順に延設される離脱防止部と、第１支柱と、第２支柱と、第３支柱と、を含み、
前記第１支柱は第１リング係止部を含み、
前記第２支柱は第２リング係止部を含み、
前記第３支柱は第３リング係止部を含み、
前記第１小環は前記第１リング係止部により前記第１支柱に揺動可能に係止され、
前記第２小環は前記第２リング係止部により前記第２支柱に揺動可能に係止され、
前記第３小環は前記第３リング係止部により前記第２支柱に揺動可能に係止され、
前記離脱防止部は、前記第１小環と前記第１鎖環を通り、
前記第１支柱は、前記第２小環と前記第２鎖環を通り、
前記離脱防止部により、前記第１小環と前記第１鎖環の可動範囲が規定され、
前記第１小環により、前記第２小環と前記第１鎖環と前記第２鎖環の可動範囲が規定され、
前記第２小環により、前記第３小環と前記第２鎖環の可動範囲が規定される知恵の輪パズル。
【請求項６】
第１部材と、環状の部材である第２部材を含む知恵の輪パズルであって、
前記第１部材は、
連結支柱と、第１小環と、第２小環と、第３小環と、前記第３小環と互いに連結する第１大鎖環と、
前記連結支柱より略同一方向に向かって順に延設される離脱防止部と、第１支柱と、第２支柱と、第３支柱と、を含み、
前記第１支柱は第１リング係止部を含み、
前記第２支柱は第２リング係止部を含み、
前記第３支柱は第３リング係止部を含み、
前記第１小環は前記第１リング係止部により前記第１支柱に揺動可能に係止され、
前記第２小環は前記第２リング係止部により前記第２支柱に揺動可能に係止され、
前記第３小環は前記第３リング係止部により前記第３支柱に揺動可能に係止され、
前記離脱防止部は、前記第１小環と前記第１大鎖環を通り、
前記第１支柱は、前記第２小環と前記第１大鎖環を通り、
前記第２支柱は、前記第３小環を通り、
前記離脱防止部により、前記第１小環と前記第１大鎖環の可動範囲が規定され、
前記第１小環により、前記第２小環の可動範囲が規定され、
前記第２小環により前記第３小環及び前記第１大鎖環の可動範囲が規定される知恵の輪パズル。
【請求項７】
第１部材と、環状の部材である第２部材とを含む知恵の輪パズルであって、
前記第１部材は、
連結支柱と、小環と、大環と、
前記連結支柱より略同一方向に向かって順に延設される離脱防止部と、第１支柱と、第２支柱と、を含み、
前記第１支柱は第１リング係止部を含み、
前記第２支柱は第２リング係止部を含み、
前記小環は前記第１リング係止部により前記第１支柱に揺動可能に係止され、
前記大環は前記第２リング係止部により前記第２支柱に揺動可能に係止され、
前記離脱防止部は、前記大環を通り、
前記第２支柱が前記小環を通り、
前記離脱防止部により前記大環の可動範囲が規定される知恵の輪パズル。
【請求項８】
第１部材と、環状の部材である第２部材とを含む知恵の輪パズルであって、
前記第１部材は、
連結支柱と、小環と、自由環と、
前記連結支柱より略同一方向に向かって順に延設される第１離脱防止部と、第２離脱防止部と、を含み、
前記第２離脱防止部はリング係止部を含み、
前記小環は前記リング係止部により前記第２離脱防止部に揺動可能に係止され、
前記第１離脱防止部は、前記自由環及び前記小環を通り、
前記第２離脱防止部は、前記自由環を通り、
前記第１離脱防止部及び前記第２離脱防止部により前記自由環の可動範囲が規定され、
前記第１離脱防止部により前記小環の可動範囲が規定される知恵の輪パズル。
【発明の詳細な説明】
【技術分野】
【０００１】
本発明は、部材同士をつなぎ合わせたり外したりする知恵の輪に関するものである。
【背景技術】
【０００２】
従来、チャイニーズリングに代表されるように、輪がつながった形を有している部材と、細長い輪の部材より構成された知恵の輪が知られている。また近年では、チャイニーズリングを原型として、剛性材料製の閉じたリングと一端がこのリングに連なる剛性材料製の棒とで一本の支柱とするとき、支柱のリング内側に他のいずれかの支柱の棒が通され、各支柱の棒の他端が互いに連結された複数本の支柱と、軟質材料からなる閉じた輪状の紐とを備え、紐がいずれかの支柱の棒に掛けられた状態から外されることにより解く知恵の輪パズルが提案されている（特許文献１）。
【先行技術文献】
【特許文献】
【０００３】
【特許文献１】特許第６１１２９５６号公報
【発明の概要】
【発明が解決しようとする課題】
【０００４】
しかしながら、輪がつながった形を有している部材と、細長い輪の部材より構成された従来の知恵の輪は、その解法が煩雑であると同時に単純な機械的操作の繰り返しであるため飽きられやすく、このような知恵の輪は一般的に普及していない。
【０００５】
本発明の目的の１つは、従来の知恵の輪にはない解き方を必要とし、興味や意欲を長期間持たせることのできる知恵の輪パズルを提供することにある。
【課題を解決するための手段】
【０００６】
本発明の一実施形態における知恵の輪パズルは、第１部材と、環状の部材である第２部材を含む知恵の輪パズルであって、前記第１部材は、連結支柱と、第１小環と、第２小環と、第１大環と、前記連結支柱より略同一方向に向かって順に延設される離脱防止部と、第１支柱と、第２支柱と、を含み、前記第１支柱は第１リング係止部を含み、前記第２支柱は第２リング係止部を含み、前記第１小環は前記第１リング係止部により前記第１支柱に揺動可能に係止され、前記第２小環と前記第１大環は前記第２リング係止部により前記第２支柱に揺動可能に係止され、前記離脱防止部は、前記第１小環と前記第１大環を通り、前記第１支柱が前記第２小環を通り、前記離脱防止部により、前記第１小環と前記第１大環の可動範囲が規定され、前記第１小環により、前記第２小環の可動範囲が規定される。
【０００７】
前記第１大環の長軸が、前記第１小環及び前記第２小環の長軸の２倍以上であってもよい。
【０００８】
また、前記第１部材は、第３小環と、第２大環と、第３支柱をさらに含み、前記第３支柱は、前記第２支柱からみて、前記第１支柱と反対側の前記連結支柱より、前記第２支柱と略同一方向に向かって順に延設され、前記第３支柱は第３リング係止部を含み、前記第３小環と前記第２大環は前記第３リング係止部により前記第３支柱に揺動可能に係止され、前記第１支柱はさらに前記第２の大環を通り、前記第２支柱は前記第２大環及び前記第３小環を通り、前記第１小環により前記第２大環の可動範囲が規定され、前記第２小環により前記第３小環の可動範囲が規定されてもよい。
【０００９】
本発明の一実施形態における知恵の輪パズルは、第１部材と、環状の部材である第２部材を含む知恵の輪パズルであって、前記第１部材は、連結支柱と、第１小環と、互いに連結された第２小環及び第１鎖環と、前記連結支柱より略同一方向に向かって順に延設される離脱防止部と、第１支柱と、第２支柱と、を含み、前記第１支柱は第１リング係止部を含み、前記第２支柱は第２リング係止部を含み、前記第１小環は前記第１リング係止部により前記第１支柱に揺動可能に係止され、前記第２小環は前記第２リング係止部により前記第２支柱に揺動可能に係止され、前記離脱防止部は、前記第１小環と前記第１鎖環を通り、前記第１支柱が前記第２小環を通り、前記離脱防止部により、前記第１小環と前記第１鎖環の可動範囲が規定され、前記第１小環により、前記第２小環の可動範囲が規定される。
【００１０】
本発明の一実施形態における知恵の輪パズルは、第１部材と、環状の部材である第２部材を含む知恵の輪パズルであって、前記第１部材は、連結支柱と、第１小環と、第２小環と、第３小環と、第１鎖環と、前記第３小環と前記第１鎖環とを互いに連結する第２鎖環と、前記連結支柱より略同一方向に向かって順に延設される離脱防止部と、第１支柱と、第２支柱と、第３支柱と、を含み、前記第１支柱は第１リング係止部を含み、前記第２支柱は第２リング係止部を含み、前記第３支柱は第３リング係止部を含み、前記第１小環は前記第１リング係止部により前記第１支柱に揺動可能に係止され、前記第２小環は前記第２リング係止部により前記第２支柱に揺動可能に係止され、前記第３小環は前記第３リング係止部により前記第２支柱に揺動可能に係止され、前記離脱防止部は、前記第１小環と前記第１鎖環を通り、前記第１支柱は、前記第２小環と前記第２鎖環を通り、前記離脱防止部により、前記第１小環と前記第１鎖環の可動範囲が規定され、前記第１小環により、前記第２小環と前記第１鎖環と前記第２鎖環の可動範囲が規定され、前記第２小環により、前記第３小環と前記第２鎖環の可動範囲が規定される。
【００１１】
本発明の一実施形態における知恵の輪パズルは、第１部材と、環状の部材である第２部材を含む知恵の輪パズルであって、前記第１部材は、連結支柱と、第１小環と、第２小環と、第３小環と、前記第３小環と互いに連結する第１大鎖環と、前記連結支柱より略同一方向に向かって順に延設される離脱防止部と、第１支柱と、第２支柱と、第３支柱と、を含み、前記第１支柱は第１リング係止部を含み、前記第２支柱は第２リング係止部を含み、前記第３支柱は第３リング係止部を含み、前記第１小環は前記第１リング係止部により前記第１支柱に揺動可能に係止され、前記第２小環は前記第２リング係止部により前記第２支柱に揺動可能に係止され、前記第３小環は前記第３リング係止部により前記第３支柱に揺動可能に係止され、前記離脱防止部は、前記第１小環と前記第１大鎖環を通り、前記第１支柱は、前記第２小環と前記第１大鎖環を通り、前記第２支柱は、前記第３小環を通り、前記離脱防止部により、前記第１小環と前記第１大鎖環の可動範囲が規定され、前記第１小環により、前記第２小環の可動範囲が規定され、前記第２小環により前記第３小環及び前記第１大鎖環の可動範囲が規定される。
【００１２】
本発明の一実施形態における知恵の輪パズルは、第１部材と、環状の部材である第２部材とを含む知恵の輪パズルであって、前記第１部材は、連結支柱と、小環と、大環と、前記連結支柱より略同一方向に向かって順に延設される離脱防止部と、第１支柱と、第２支柱と、を含み、前記第１支柱は第１リング係止部を含み、前記第２支柱は第２リング係止部を含み、前記小環は前記第１リング係止部により前記第１支柱に揺動可能に係止され、前記大環は前記第２リング係止部により前記第２支柱に揺動可能に係止され、前記離脱防止部は、前記大環を通り、前記第２支柱が前記小環を通り、前記離脱防止部により前記大環の可動範囲が規定される。
【００１３】
本発明の一実施形態における知恵の輪パズルは、第１部材と、環状の部材である第２部材とを含む知恵の輪パズルであって、前記第１部材は、連結支柱と、小環と、自由環と、前記連結支柱より略同一方向に向かって順に延設される第１離脱防止部と、第２離脱防止部と、を含み、前記第２離脱防止部はリング係止部を含み、前記小環は前記リング係止部により前記第２離脱防止部に揺動可能に係止され、前記第１離脱防止部は、前記自由環及び前記小環を通り、前記第２離脱防止部は、前記自由環を通り、前記第１離脱防止部及び前記第２離脱防止部により前記自由環の可動範囲が規定され、前記第１離脱防止部により前記小環の可動範囲が規定される。
【発明の効果】
【００１４】
この発明の知恵の輪パズルは、従来の知恵の輪にはない構造を有しているため、従来の知恵の輪にはない解き方を必要とし、興味や意欲を長期間持たせることが可能である。
【図面の簡単な説明】
【００１５】
【図１】本発明の一実施形態における知恵の輪パズルの構造を説明する図である。
【図２】本発明の一実施形態における知恵の輪パズルの解法を説明する図である。
【図３】本発明の一実施形態における知恵の輪パズルの解法を説明する図である。
【図４】本発明の一実施形態における知恵の輪パズルの解法を説明する図である。
【図５】本発明の一実施形態における知恵の輪パズルの解法を説明する図である。
【図６】本発明の一実施形態における知恵の輪パズルの解法を説明する図である。
【図７】本発明の一実施形態における知恵の輪パズルの解法を説明する図である。
【図８】本発明の一実施形態における知恵の輪パズルの構造を説明する図である。
【図９】本発明の一実施形態における知恵の輪パズルの構造を説明する図である。
【図１０】本発明の一実施形態における知恵の輪パズルの解法を説明する図である。
【図１１】本発明の一実施形態における知恵の輪パズルの解法を説明する図である。
【図１２】本発明の一実施形態における知恵の輪パズルの解法を説明する図である。
【図１３】本発明の一実施形態における知恵の輪パズルの解法を説明する図である。
【図１４】本発明の一実施形態における知恵の輪パズルの解法を説明する図である。
【図１５】本発明の一実施形態における知恵の輪パズルの構造を説明する図である。
【図１６】本発明の一実施形態における知恵の輪パズルの構造を説明する図である。
【図１７】本発明の一実施形態における知恵の輪パズルの構造を説明する図である。
【図１８】本発明の一実施形態における知恵の輪パズルの構造を説明する図である。
【図１９】本発明の一実施形態における知恵の輪パズルの構造を説明する図である。
【図２０】本発明の一実施形態における知恵の輪パズルの構造を説明する図である。
【図２１】本発明の一実施形態における知恵の輪パズルの構造を説明する図である。
【図２２】本発明の一実施形態における知恵の輪パズルの構造を説明する図である。
【図２３】本発明の一実施形態における知恵の輪パズルの構造を説明する図である。
【図２４】本発明の一実施形態における知恵の輪パズルの構造を説明する図である。
【発明を実施するための形態】
【００１６】
以下に、本発明の各実施の形態について、図面を参照しつつ説明する。なお、開示はあくまで一例にすぎず、当業者において、発明の主旨を保っての適宜変更について容易に想到しうるものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既述の図に関して前述したものと同様の要素には、同一の符号を付して、詳細な説明を適宜変更することがある。
【００１７】
なお、本明細書及び図面において、「左」又は「左側」とは、図面の紙面に対して、「左」又は「左側」を意味し、「右」又は「右側」とは、図面の紙面に対して、「右」又は「右側」を意味する。また、「上」又は「上側」とは、図面の紙面に対して、「上」又は「上側」を意味し、「下」又は「下側」とは、図面の紙面に対して、「下」又は「下側」を意味する。また、「手前」又は「前面」とは、図面の紙面に対して、「手前」又は「手前にある面」を意味し、「奥」（「後ろ」）又は「背面」とは、図面の紙面に対して、「奥」又は「後ろの面」を意味する。したがって、図面に記載された対象を見る方向を任意に変更することにより、上下左右等の関係も対象を見る方向に応じて任意に変更されることは明らかであり、本発明を限定的に解釈するものではない。
【００１８】
＜第１実施形態＞
［知恵の輪パズルの構造］
図１は、本発明の第１実施形態における知恵の輪パズル１の構造を説明する図である。知恵の輪パズル１は、この例では、第１部材１００と、環状の部材である第２部材２００からなる知恵の輪パズルである。知恵の輪パズル１を構成する材料は、プラスチック、木、金属等の剛性の強い材料であってもよいし、容易に曲げることが可能な針金や樹脂、糸などの剛性の弱い材料であってもよい。
【００１９】
第２部材２００は、環状の部材である。第２部材２００は、本明細書で説明する知恵の輪パズル１の解法を実践しうる限り、環状でありさえすればどのような形態も取りうる。例えば、楕円の形態を取ってもよいし、長方形の形態をとってもよい。
【００２０】
第１部材１００は、連結支柱１０２と、離脱防止部１０４と、第１支柱１０６ａと、第２支柱１０６ｂと、第１小環１０８ａと、第２小環１０８ｂと、第１大環１１０ａを含む。
【００２１】
離脱防止部１０４と、第１支柱１０６ａと、第２支柱１０６ｂとは、連結支柱１０２から略同一方向に向かって順に延設する。離脱防止部１０４と、第１支柱１０６ａと、第２支柱１０６ｂと、連結支柱１０２は、たとえば、棒状の形状を有し、離脱防止部１０４と、第１支柱１０６ａと、第２支柱１０６ｂとは、連結支柱１０２と交差するといえる。離脱防止部１０４と、第１支柱１０６ａと、第２支柱１０６ｂと、連結支柱１０２は、本明細書で説明する知恵の輪パズル１の解法を実践しうる限り、その一部または全部が屈曲していたり、複数の部材から構成されていたりしてもよい。また、離脱防止部１０４と、第１支柱１０６ａと、第２支柱１０６ｂは連結支柱１０２と一体の部材として固定されていてもよいし、それぞれが連結支柱１０２と交差する箇所で揺動可能に係止されていてもよい。なお、本明細書及び特許請求の範囲において、「略同一方向」は「平行方向」の意をもちろん含み、かつ、平行方向からずれた方向についても、本明細書で説明する知恵の輪パズル１の解法を実践しうる限り、その意に含む。また、離脱防止部１０４と、第１支柱１０６ａと、第２支柱１０６ｂの長手方向の長さはいずれも同じ長さであってもよいし、異なっていてもよい。さらに、離脱防止部１０４と、第１支柱１０６ａと、第２支柱１０６ｂが連結支柱１０２から順に延設される間隔は一定であってもよいし、本明細書で説明する知恵の輪パズル１の解法を実践しうる限りは、その間隔は一定でなくてもよい。
【００２２】
離脱防止部１０４は、第１小環１０８ａと第１大環１１０ａを通り、その可動範囲を規定する。すなわち、棒状の形状を有する離脱防止部１０４は、環状の部材である第１小環１０８ａと第１大環１１０ａを通り、かつ、離脱防止部１０４が第１小環１０８ａと第１大環１１０ａを通る状態を維持する。離脱防止部１０４は、離脱防止部１０４から第１小環１０８ａと第１大環１１０ａが外れないように機能するということもできる。一実施形態において、図１に示す離脱防止部１０４は、第１小環１０８ａと第１大環１１０ａを通ってその可動範囲を規定するために、連結支柱１０２から延び、第１小環１０８ａと第１大環１１０ａを通り、さらに延びた箇所で第１支柱１０６ａから離れる方向に曲がった形状をしている。後述するように、第１小環１０８ａは第１支柱１０６ａに係止され、第１大環１１０ａは第２支柱１０６ｂに係止されているため、第１小環１０８ａと第１大環１１０ａは、離脱防止部１０４から外れることができない。もっとも、離脱防止部１０４が第１小環１０８ａと第１大環１１０ａの可動範囲を規定するためにとりうる形状はこれに限られるものではない。たとえば、離脱防止部１０４は、連結支柱１０２から延び、第１小環１０８ａと第１大環１１０ａを通り、さらに延びた端部に環状の部材が揺動可能に係止された構造を有し、この環状の部材によって第１小環１０８ａと第１大環１１０ａの可動範囲が規定されてもよい。
【００２３】
第１支柱１０６ａと第２支柱１０６ｂは、いずれも連結支柱１０２から延設され、それぞれ第１リング係止部１１２ａと第２リング係止部１１２ｂを有する。図１では、第１リング係止部１１２ａは第１支柱１０６ａの端部に含まれるものとして図示しているが、これに限られるものではなく、第１リング係止部１１２ａは、第１支柱１０６ａの端部よりも連結支柱１０２に近い箇所において第１支柱１０６ａに含まれていてもよい。また、第１リング係止部１１２ａは本明細書で説明する知恵の輪パズル１の解法を実践しうる限り、どのような形状をとってもよく、第１小環１０８ａを係止するために環状になっていてもよい。以上の説明は、第２リング係止部１１２ｂについても同様にあてはまる。
【００２４】
第１小環１０８ａと、第２小環１０８ｂと、第１大環１１０ａは、いずれも環状の部材である。第１大環１１０ａは、第１小環１０８ａ及び第２小環１０８ｂよりも大きくてもよい。第１大環１１０ａの長軸が、第１小環１０８ａと第２小環１０８ｂの長軸の２倍以上であってもよい。「第１大環１１０ａの長軸が、第１小環１０８ａと第２小環１０８ｂの長軸の２倍以上」であるとは、第１大環１１０ａ、第１小環１０８ａ、第２小環１０８ｂが楕円形である場合には、第１大環１１０ａの長軸は第１小環１０８ａ及び第２小環１０８ｂの長軸の２倍以上であることを意味する。また、第１大環１１０ａ、第１小環１０８ａ、第２小環１０８ｂが長方形である場合には、第１大環１１０ａの長辺は第１小環１０８ａ及び第２小環１０８ｂの長辺の２倍以上であることを意味する。また、第１大環１１０ａ、第１小環１０８ａ、第２小環１０８ｂが真円である場合には、第１大環１１０ａの直径は、第１小環１０８ａ、第２小環１０８ｂの直径の２倍以上であることを意味する。
【００２５】
第１小環１０８ａは、第１リング係止部１１２ａにより、第１支柱１０６ａに揺動可能に係止される。すなわち、第１小環１０８ａは、第１リング係止部１１２ａにより第１支柱１０６ａに係止され、第１リング係止部１１２ａから離れることはできないが、第１リング係止部１１２ａにより第１支柱１０６ａに係止された状態を維持しつつ動くことが可能である。もっとも、第１小環１０８ａには棒状の離脱防止部１０４が通っており、第１小環１０８ａはこの離脱防止部１０４から外れることはできない。すなわち、第１小環１０８ａは、離脱防止部１０４が第１小環１０８ａに通っている状態から通っていない状態に移行するように動くことはできない。このように、第１小環１０８ａは、第１リング係止部１１２ａにより第１支柱１０６ａに係止された状態を維持しつつ動くことが可能であるが、この可動範囲は離脱防止部１０４により規定される。
【００２６】
第２小環１０８ｂは、第２リング係止部１１２ｂにより、第２支柱１０６ｂに揺動可能に係止される。すなわち、第２小環１０８ｂは、第２リング係止部１１２ｂにより第２支柱１０６ｂに係止され、第２リング係止部１１２ｂから離れることはできないが、第２リング係止部１１２ｂにより第２支柱１０６ｂに係止された状態を維持しつつ、動くことが可能である。もっとも、第２小環１０８ｂには棒状の第１支柱１０６ａが通っている。第１支柱１０６ａは、連結支柱１０２から延び、第２小環１０８ｂを通り、さらに延びた位置に第１リング係止部１１２ａを有し、この第１リング係止部１１２ａは第１小環１０８ａを第１支柱１０６ａに係止し、この第１小環１０８ａは離脱防止部１０４によりその可動範囲が規定されている。すなわち、第１小環１０８ａには棒状の離脱防止部１０４が通っており、第１小環１０８ａは離脱防止部１０４から外れることはできない。したがって、第１小環１０８ａが第１支柱１０６ａに係止していることにより、第２小環１０８ｂは、第１支柱１０６ａから外れるように移動すること、すなわち、第１支柱１０６ａが第２小環１０８ｂに通っている状態から通っていない状態に移行するように第２小環１０８ｂが動くことはできない。このように、第２小環１０８ｂは、第１小環１０８ａによりその可動範囲が規定される。また、第１小環１０８ａは、第２小環１０８ｂに対して、離脱防止部としても機能する。
【００２７】
第１大環１１０ａは、第２リング係止部１１２ｂにより、第２支柱１０６ｂに揺動可能に係止される。すなわち、第１大環１１０ａは、第２リング係止部１１２ｂにより第２支柱１０６ｂに係止され、第２リング係止部１１２ｂから離れることはできないが、第２リング係止部１１２ｂにより第２支柱１０６ｂに係止された状態を維持しつつ、動くことが可能である。もっとも、第１大環１１０ａには棒状の離脱防止部１０４が通っている。第１大環１１０ａはこの離脱防止部１０４から外れることはできない。すなわち、第１大環１１０ａは、離脱防止部１０４が第１大環１１０ａに通っている状態から通っていない状態に移行するように動くことはできない。このように、第１大環１１０ａは、第２リング係止部１１２ｂにより第２支柱１０６ｂに係止された状態を維持しつつ動くことが可能であるが、この可動範囲は離脱防止部１０４により規定される。
【００２８】
［知恵の輪パズルの解法］
以下、本発明の第１実施形態における知恵の輪パズル１の解法について、図１〜図７を用いて説明する。
【００２９】
図１は、知恵の輪パズル１を構成する第１部材１００と第２部材２００とが分離した状態を示す図である（ステップＳ１０１）。
【００３０】
次に、図２に示すように、第２部材２００の環に、第１部材１００の離脱防止部１０４と、第１支柱１０６ａと、第２支柱１０６ｂと、第１小環１０８ａと、第２小環１０８ｂと、第１大環１１０ａとを通し、第２部材２００の環に離脱防止部１０４と、第１支柱１０６ａと、第２支柱１０６ｂとが通った状態にする（ステップＳ１０３）。なお、以下に説明する知恵の輪パズル１の解法を実行するに際しては、適宜、連結支柱１０２が第２部材２００に通ってもよい。
【００３１】
次に、図３に示すように、離脱防止部１０４の左側に位置する、第１小環１０８ａと離脱防止部１０４の間の空間及び第１大環１１０ａと離脱防止部１０４の間の空間に第２部材２００を通す（ステップＳ１０５）。この操作により、第２部材２００が第１小環１０８ａと第１大環１１０ａとを通ったということもできる。
【００３２】
次に、図４に示すように、離脱防止部１０４を第２部材２００の環から外したうえ、第２部材２００を第１小環１０８ａ及び第１大環１１０ａから外す（ステップＳ１０７）。言い換えると、離脱防止部１０４が第２部材２００の環に通った状態から通っていない状態に移行させ、さらに、第２部材２００が第１小環１０８ａと第１大環１１０ａに通った状態から通っていない状態に移行させる。
【００３３】
ステップＳ１０７の操作が終了した時点では、図４に示すように、第２部材２００の環には第１支柱１０６ａと第２支柱１０６ｂとが通っており、離脱防止部１０４は通っていない。
【００３４】
次に、図５に示すように、第１支柱１０６ａの左側に位置する第２小環１０８ｂと第１支柱１０６ａの間の空間と、第１小環１０８ａと、第１大環１１０ａに第２部材２００を通す（ステップＳ１０９）。この操作により、第２部材２００が第２小環１０８ｂと、第１小環１０８ａと、第１大環１１０ａとに通るということもできる。
【００３５】
次に、図６に示すように、第２部材２００の環に離脱防止部１０４を通したうえ、ステップＳ１０９の操作により第１小環１０８ａに通った状態にある第２部材２００を第１小環１０８ａから外す（ステップＳ１１１）。この操作により、図６に示すように、第２部材２００は第１小環１０８ａには通らず、第２小環１０８ｂと第１大環１１０ａには通る状態となる。
【００３６】
次に、第１小環１０８ａを第２部材２００の環に通したうえ、離脱防止部１０４を第２部材２００の環から外し、さらに第２部材２００を第２小環１０８ｂと第１大環１１０ａから外す（ステップＳ１１３）。この操作により、図７のように、第２支柱１０６ｂのみが第２部材２００に通り、離脱防止部１０４と第１支柱１０６ａは第２部材２００に通らない状態となる。
【００３７】
以上説明したように、知恵の輪パズル１は、それを構成する第１部材１００と第２部材２００とが分離した状態（図１参照）から適宜操作することによって、第２部材２００に第１部材１００の第２支柱１０６ｂは通るが、離脱防止部１０４及び第１支柱１０６ａは通らない状態（図７参照）まで移行することができる。また、上記説明した知恵の輪パズル１の解法の手順を逆に行うことで、第２部材２００に第１部材１００の第２支柱１０６ｂは通るが、離脱防止部１０４及び第１支柱１０６ａは通らない状態から、第１部材１００と第２部材２００とが分離した状態に移行することもできる。
【００３８】
このように、本発明の第１実施形態における知恵の輪パズル１は、従来の知恵の輪にはない構造を有しているため、従来の知恵の輪にはない解き方を必要とし、興味や意欲を長期間持たせることが可能である。
【００３９】
＜第２実施形態＞
［知恵の輪パズルの構造］
図８は、本発明の第２実施形態における知恵の輪パズル２の第１部材１００の構造を説明する図である。本発明の第２実施形態における第１部材１００は、第１実施形態において第１部材１００が有する部材に加えて、第３小環１０８ｃと、第２大環１１０ｂと、第３支柱１０６ｃとをさらに含む。
【００４０】
第３支柱１０６ｃは、第２支柱１０６ｂからみて、第１支柱１０６ａと反対側の連結支柱１０２より、第２支柱１０６ｂと略同一方向に向かって順に延設される。すなわち、離脱防止部１０４と、第１支柱１０６ａと、第２支柱１０６ｂと、第３支柱１０６ｃとは、連結支柱１０２から略同一方向に向かって順に延設される。
【００４１】
第３支柱１０６ｃは第３リング係止部１１２ｃを有する。
【００４２】
第３小環１０８ｃは、第３リング係止部１１２ｃにより、第３支柱１０６ｃに揺動可能に係止される。すなわち、第３小環１０８ｃは、第３リング係止部１１２ｃにより第３支柱１０６ｃに係止され、第３リング係止部１１２ｃから離れることはできないが、第３リング係止部１１２ｃにより第３支柱１０６ｃに係止された状態を維持しつつ動くことが可能である。もっとも、第３小環１０８ｃには棒状の第２支柱１０６ｂが通っている。第２支柱１０６ｂは連結支柱１０２から延び、第３小環１０８ｃを通り、さらに延びた位置に第２リング係止部１１２ｂを有し、この第２リング係止部１１２ｂは第２小環１０８ｂを第２支柱１０６ｂに係止し、この第２小環１０８ｂは第１小環１０８ａによりその可動範囲が規定されている。したがって、第３小環１０８ｃは、第２支柱１０６ｂから外れるように移動すること、すなわち、第２支柱１０６ｂが第３小環１０８ｃに通っている状態から通っていない状態に移行するように第３小環１０８ｃが動くことはできない。このように、第３小環１０８ｃは、第２小環１０８ｂによりその可動範囲が規定される。
【００４３】
第２大環１１０ｂは、第３リング係止部１１２ｃにより、第３支柱１０６ｃに揺動可能に係止される。すなわち、第２大環１１０ｂは、第３リング係止部１１２ｃにより第３支柱１０６ｃに係止され、第３リング係止部１１２ｃから離れることはできないが、第３リング係止部１１２ｃにより第３支柱１０６ｃに係止された状態を維持しつつ、動くことが可能である。もっとも、第２大環１１０ｂには棒状の第１支柱１０６ａ及び第２支柱１０６ｂが通っている。第１支柱１０６ａは、連結支柱１０２から延び、第２小環１０８ｂを通り、さらに延びた位置に第１リング係止部１１２ａを有し、この第１リング係止部１１２ａは第１小環１０８ａを第１支柱１０６ａに係止し、この第１小環１０８ａは離脱防止部１０４によりその可動範囲が規定されている。したがって、第２大環１１０ｂはこの第１支柱１０６ａから外れるように移動すること、すなわち、第１支柱１０６ａが第２大環１１０ｂに通っている状態から通っていない状態に移行するように動くことはできない。このように、第２大環１１０ｂは、第１小環１０８ａによりその可動範囲が規定される。
【００４４】
［知恵の輪パズル２の解法］
以下、本発明の第２実施形態における知恵の輪パズル２の解法について説明する。
【００４５】
まず、知恵の輪パズル２を構成する第１部材１００と第２部材２００とが分離した状態から（ステップＳ２０１。ステップＳ１０１に対応）、第２部材２００の環に、第１部材１００の離脱防止部１０４と、第１支柱１０６ａと、第２支柱１０６ｂと、第３支柱１０６ｃと、第１小環１０８ａと、第２小環１０８ｂと、第３小環１０８ｃと、第１大環１１０ａと、第２大環１１０ｂとを通し、第２部材２００の環に離脱防止部１０４と、第１支柱１０６ａと、第２支柱１０６ｂと、第３支柱１０６ｃとが通った状態にする（ステップＳ２０３。ステップＳ１０３に対応）。なお、以下に説明する知恵の輪パズル２の解法を実行するに際しては、適宜、連結支柱１０２が第２部材２００に通ってもよい。
【００４６】
次に、離脱防止部１０４の左側に位置する、第１小環１０８ａと離脱防止部１０４の間の空間及び第１大環１１０ａと離脱防止部１０４の間の空間に第２部材２００を通す（ステップＳ２０５。ステップＳ１０５に対応）。この操作により、第２部材２００が第１小環１０８ａと第１大環１１０ａとを通ったということもできる。
【００４７】
次に、離脱防止部１０４を第２部材２００の環から外したうえ、第２部材２００を第１小環１０８ａ及び第１大環１１０ａから外す（ステップＳ２０７。ステップＳ１０７に対応）。言い換えると、離脱防止部１０４が第２部材２００の環に通った状態から通っていない状態に移行させ、さらに、第２部材２００が第１小環１０８ａと第１大環１１０ａに通った状態から通っていない状態に移行させる。
【００４８】
ステップＳ２０７の操作が終了した時点では、第２部材２００の環には第１支柱１０６ａと第２支柱１０６ｂと第３支柱１０６ｃとが通っており、離脱防止部１０４は通っていない。
【００４９】
次に、第１支柱１０６ａの左側に位置する第２小環１０８ｂと第１支柱の間の空間と、第１支柱１０６ａの左側に位置する第２大環１１０ｂと第１支柱１０６ａの間の空間と、第１小環１０８ａと、第１大環１１０ａに第２部材２００を通す（ステップＳ２０９）。この操作により、第２部材２００が第２大環１１０ｂと、第２小環１０８ｂと、第１小環１０８ａと、第１大環１１０ａとに通るということもできる。
【００５０】
次に、第２部材２００の環に離脱防止部１０４を通したうえ、ステップＳ２０９で第１小環１０８ａに通した第２部材２００を第１小環１０８ａから外す（ステップＳ２１１）。この操作により、第２部材２００は第１小環１０８ａには通らず、第２小環１０８ｂと第１大環１１０ａと第２大環１１０ｂには通る状態となる。
【００５１】
次に、第１小環１０８ａを第２部材２００の環に通したうえ、離脱防止部１０４を第２部材２００の環から外し、さらに第２部材２００を第２小環１０８ｂと第１大環１１０ａと第２大環１１０ｂから外す（ステップＳ２１３）。この操作により、第２支柱１０６ｂ及び第３支柱１０６ｃのみが第２部材２００の環を通り、離脱防止部１０４と第１支柱１０６ａは第２部材２００に通らない状態となる。
【００５２】
次に、第２支柱１０６ｂの左側に位置する第３小環１０８ｃと第２支柱１０６ｂの間の空間と、第２大環１１０ｂと、第２小環１０８ｂと、第１大環１１０ａに第２部材２００を通し（ステップＳ２１５）、さらに、第２部材２００の環に離脱防止部１０４及び第１小環１０８ａを通す（ステップＳ２１７）。
【００５３】
次に、離脱防止部１０４の左側に位置する第１小環１０８ａと離脱防止部１０４の空間に第２部材２００を通し（ステップＳ２１９）、さらに、離脱防止部１０４を第２部材２００の環から外し、かつ、第２部材２００を第１小環１０８ａと第２小環１０８ｂと第１大環１１０ａと第２大環１１０ｂから外す（ステップＳ２２１）。この操作により、第２部材２００は第３小環１０８ｃに通り、かつ、第１支柱１０６ａ、第２支柱１０６ｂ、第３支柱１０６ｃが第２部材２００に通る状態となる。
【００５４】
次に、第２部材２００を第１小環１０８ａ、第１大環１１０ａ、第２大環１１０ｂに通す（ステップＳ２２３）。このとき、第２小環１０８ｂには通さない。この操作により、第２部材２００は、第３小環１０８ｃと、第２大環１１０ｂと、第１大環１１０ａと、第１小環１０８ａとに通る状態になる。
【００５５】
次に、離脱防止部１０４を第２部材２００に通し（ステップＳ２２５）、第２部材２００を第１小環１０８ａ及び第１大環１１０ａから外す（ステップＳ２２７）。
【００５６】
次に、第１小環１０８ａと、第２小環１０８ｂと、第１大環１１０ａとを第２部材２００の環に通し（ステップＳ２２９）、離脱防止部１０４、第１支柱１０６ａ、第２支柱１０６ｂを第２部材２００から外す（ステップＳ２３１）。そして、第２部材２００を移動させ、第２大環１１０ｂと第３小環１０８ｃから第２部材２００を外すと、第３支柱１０６ｃのみが第２部材２００に通り、離脱防止部１０４と第１支柱１０６ａと第２支柱１０６ｂは第２部材２００に通らない状態となる（ステップＳ２３３）。
【００５７】
以上説明したように、第２実施形態に係る知恵の輪パズル２は、第１部材１００と第２部材２００とが分離した状態（図８参照）から適宜操作することによって、第２部材２００に第１部材１００の第３支柱１０６ｃは通るが、離脱防止部１０４、第１支柱１０６ａ、第２支柱１０６ｂは通らない状態まで移行することができる。この逆の操作を行うことももちろん可能である。
【００５８】
このように、本発明の第２実施形態における知恵の輪パズル２は、第１実施形態と同様、従来の知恵の輪にはない構造を有しているため、従来の知恵の輪にはない解き方を必要とし、興味や意欲を長期間持たせることが可能である。
【００５９】
＜第３実施形態＞
［知恵の輪パズル３の構造］
図９は、本発明の第３実施形態における知恵の輪パズル３の第１部材１００の構造を説明する図である。第３実施形態における知恵の輪パズル３には、第１部材１００と、第２部材２００が含まれ、第１部材１００は、連結支柱１０２と、離脱防止部１０４と、第１支柱１０６ａと、第２支柱１０６ｂと、第１小環１０８ａと、第２小環１０８ｂと、第１鎖環１１４ａを含む。なお、第１実施形態及び第２実施形態における知恵の輪パズルの構造についての説明と共通する箇所については省略する。
【００６０】
第１鎖環１１４ａは、第１小環１０８ａ、第２小環１０８ｂと同様、環状の部材である。また、第１鎖環１１４ａには、離脱防止部１０４が通っており、また、第１支柱１０６ａが通っている第２小環１０８ｂと互いに連結している。したがって、第１鎖環１１４ａは、第１小環１０８ａと同様、離脱防止部１０４から外れることはできない。すなわち、第１鎖環１１４ａは、離脱防止部１０４が第１鎖環１１４ａに通っている状態から通っていない状態に移行するように動くことはできない。このように、第１鎖環１１４ａの可動範囲は離脱防止部１０４により規定される。
【００６１】
［知恵の輪パズルの解法］
以下、本発明の第３実施形態における知恵の輪パズル３の解法について、図９〜図１４を用いて説明する。
【００６２】
図９は、知恵の輪パズル３を構成する第１部材１００と第２部材２００とが分離した状態を示す図である（ステップＳ３０１）。
【００６３】
まず、第２部材２００の環に、第１部材１００の離脱防止部１０４と、第１支柱１０６ａと、第２支柱１０６ｂと、第１小環１０８ａと、第２小環１０８ｂと、第１鎖環１１４ａとを通し、第２部材２００の環に離脱防止部１０４と、第１支柱１０６ａと、第２支柱１０６ｂとが通った状態にする。次に、図１０に示すように、離脱防止部１０４の左側に位置する第１小環１０８ａと離脱防止部１０４の間の空間及び離脱防止部１０４の左側に位置する第１鎖環１１４ａと離脱防止部１０４の間の空間に第２部材２００を通す（ステップＳ３０３）。なお、以下に説明する知恵の輪パズル３の解法を実行するに際しては、適宜、連結支柱１０２が第２部材２００に通ってもよい。
【００６４】
次に、図１１に示すように、離脱防止部１０４を第２部材２００の環から外したうえ、第２部材２００を第１鎖環１１４ａ及び第１小環１０８ａから外す（ステップＳ３０５）。言い換えると、離脱防止部１０４が第２部材２００の環に通った状態から通っていない状態に移行させ、さらに、第２部材２００が第１鎖環１１４ａと第１小環１０８ａとに通った状態から通っていない状態に移行させる。
【００６５】
ステップＳ３０５の操作が終了した時点では、図１１に示すように、第２部材２００の環には第１支柱１０６ａと第２支柱１０６ｂとが通っており、離脱防止部１０４は通っていない。
【００６６】
次に、図１２に示すように、第１支柱１０６ａの左側に位置する第２小環１０８ｂと第１支柱１０６ａの間の空間と、第１小環１０８ａとに第２部材２００を通す（ステップＳ３０７）。このとき、第２部材２００は、第１鎖環１１４ａには通さない。この操作により、第２部材２００が第１小環１０８ａと第２小環１０８ｂとに通るということもできる。
【００６７】
次に、図１３に示すように、第２部材２００の環に離脱防止部１０４を通したうえ、ステップＳ３０７の操作により第１小環１０８ａに通った状態にある第２部材２００を第１小環１０８ａから外す（ステップＳ３０９）。この操作により、図１３に示すように、第２部材２００は第１小環１０８ａには通らず、第２小環１０８ｂには通る状態となる。
【００６８】
次に、図１４に示すように、第１小環１０８ａを第２部材２００の環に通したうえ、離脱防止部１０４を第２部材２００の環から外し、さらに第２部材２００を第２小環１０８ｂから外す（ステップＳ３１１）。この操作により、図１４のように、第２支柱１０６ｂのみが第２部材２００に通り、離脱防止部１０４と第１支柱１０６ａは第２部材２００に通らない状態となる。
【００６９】
以上説明したように、第３実施形態に係る知恵の輪パズル３は、第１部材１００と第２部材２００とが分離した状態（図９参照）から適宜操作することによって、第２部材２００に第１部材１００の第３支柱１０６ｃは通るが、離脱防止部１０４、第１支柱１０６ａ、第２支柱１０６ｂは通らない状態（図１４参照）まで移行することができる。この逆の操作を行うことももちろん可能である。
【００７０】
このように、本発明の第３実施形態における知恵の輪パズル３は、第１、第２実施形態と同様、従来の知恵の輪にはない構造を有しているため、従来の知恵の輪にはない解き方を必要とし、興味や意欲を長期間持たせることが可能である。
【００７１】
＜第４実施形態＞
［知恵の輪パズル４の構造］
図１５は、本発明の第４実施形態における知恵の輪パズル４の第１部材１００の構造を説明する図である。第４実施形態における知恵の輪パズル４には、第１部材１００と、第２部材２００が含まれ、第１部材１００は、連結支柱１０２と、離脱防止部１０４と、第１支柱１０６ａと、第２支柱１０６ｂと、第３支柱１０６ｃと、第１小環１０８ａと、第２小環１０８ｂと、第３小環１０８ｃと、第１鎖環１１４ａと、第２鎖環１１４ｂとを含む。なお、第１実施形態から第３実施形態における知恵の輪パズルの構造についての説明と共通する箇所については省略する。
【００７２】
第１鎖環１１４ａと第２鎖環１１４ｂは、第１小環１０８ａ、第２小環１０８ｂ、第３小環１０８ｃと同様、環状の部材である。第２鎖環１１４ｂは、第３小環１０８ｃと第１鎖環１１４ａとを互いに連結する。すなわち、第２鎖環１１４ｂは、第３小環１０８ｃと互いに連結し、第１鎖環１１４ａとも互いに連結する。
【００７３】
離脱防止部１０４は、連結支柱１０２より延設され、第１鎖環１１４ａを通り、さらに延び、第１小環１０８ａを通る。第１小環１０８ａは、第１実施形態から第３実施形態と同様、離脱防止部１０４によりその可動範囲が規定され、離脱防止部１０４から外れることはできないため、第１鎖環１１４ａも離脱防止部１０４から外れることはできない。すなわち、第１鎖環１１４ａは離脱防止部１０４によりその可動範囲が規定される。
【００７４】
第１支柱１０６ａは、連結支柱１０２より延設され、第２鎖環１１４ｂを通り、さらに延び、第２小環１０８ｂを通り、さらに延びた位置に第１小環１０８ａを係止する第１リング係止部１１２ａを有する。第１実施形態から第３実施形態と同様、第１小環１０８ａは離脱防止部１０４によりその可動範囲が規定され、離脱防止部１０４から外れることができず、かつ、第２小環１０８ｂは第１小環１０８ａによりその可動範囲が規定され、第１支柱１０６ａから外れることができない。したがって、第２鎖環１１４ｂは第１支柱１０６ａから外れることができない。すなわち、第２鎖環１１４ｂは、第１小環１０８ａにより可動範囲が規定され、かつ、第２小環１０８ｂによっても可動範囲が規定される。
【００７５】
第３小環１０８ｃは、第２実施形態と同様、第２小環１０８ｂによりその可動範囲が規定される。
【００７６】
［知恵の輪パズル４の解法］
以下、本発明の第４実施形態における知恵の輪パズル４の解法について説明する。
【００７７】
まず、図１５に示すように、知恵の輪パズル４を構成する第１部材１００と第２部材２００とが分離した状態から（ステップＳ４０１。ステップＳ３０１に対応）、第２部材２００の環に、第１部材１００の離脱防止部１０４と、第１支柱１０６ａと、第２支柱１０６ｂと、第３支柱１０６ｃと、第１小環１０８ａと、第２小環１０８ｂと、第３小環１０８ｃと、第１鎖環１１４ａと、第２鎖環１１４ｂとを通し、第２部材２００の環に離脱防止部１０４と、第１支柱１０６ａと、第２支柱１０６ｂと、第３支柱１０６ｃとが通った状態にする。次に、離脱防止部１０４の左側に位置する第１小環１０８ａと離脱防止部１０４の間の空間及び離脱防止部１０４の左側に位置する第１鎖環１１４ａと離脱防止部１０４の間の空間に第２部材２００を通す（ステップＳ４０３。ステップＳ３０３に対応）。なお、以下に説明する知恵の輪パズル４の解法を実行するに際しては、適宜、連結支柱１０２が第２部材２００に通ってもよい。
【００７８】
次に、離脱防止部１０４を第２部材２００の環から外したうえ、第２部材２００を第１鎖環１１４ａ及び第１小環１０８ａから外す（ステップＳ４０５。ステップＳ３０５に対応）。言い換えると、離脱防止部１０４が第２部材２００の環に通った状態から通っていない状態に移行させ、さらに、第２部材２００が第１鎖環１１４ａと第１小環１０８ａとに通った状態から通っていない状態に移行させる。
【００７９】
ステップＳ４０５の操作が終了した時点では、第２部材２００の環には第１支柱１０６ａと第２支柱１０６ｂと第３支柱１０６ｃとが通っており、離脱防止部１０４は通っていない。
【００８０】
次に、第１支柱１０６ａの左側に位置する第２鎖環１１４ｂと第１支柱１０６ａの間の空間と、第１支柱１０６ａの左側に位置する第２小環１０８ｂと第１支柱１０６ａの間の空間と、第１小環１０８ａとに第２部材２００を通す（ステップＳ４０７。ステップＳ３０７に対応）。このとき、第２部材２００は、第１鎖環１１４ａには通さない。この操作により、第２部材２００が第２鎖環１１４ｂと第２小環１０８ｂと第１小環１０８ａとに通るということもできる。
【００８１】
次に、第２部材２００の環に離脱防止部１０４を通したうえ、ステップＳ４０７の操作により第１小環１０８ａに通った状態にある第２部材２００を第１小環１０８ａから外す（ステップＳ４０９。ステップＳ３０９に対応）。この操作により、第２部材２００は第１小環１０８ａには通らず、第２鎖環１１４ｂと第２小環１０８ｂには通る状態となる。
【００８２】
次に、第１小環１０８ａを第２部材２００の環に通したうえ、離脱防止部１０４を第２部材２００の環から外し、さらに第２部材２００を第２小環１０８ｂ及び第２鎖環１１４ｂから外す（ステップＳ４１１）。この操作により、第２支柱１０６ｂと第３支柱１０６ｃが第２部材２００に通り、離脱防止部１０４と第１支柱１０６ａは第２部材２００に通らない状態となる。
【００８３】
次に、第２支柱１０６ｂの左側に位置する第３小環１０８ｃと第２支柱１０６ｂの間の空間と、第２小環１０８ｂとに第２部材２００を通したうえ、第２部材２００の環に離脱防止部１０４及び第１小環１０８ａを通す（ステップＳ４１３）。
【００８４】
次に、離脱防止部１０４の左側に位置する第１小環１０８ａと離脱防止部１０４の間の空間に第２部材２００を通したうえ、離脱防止部１０４を第２部材２００の環から外し、かつ、第２部材２００を第１小環１０８ａと第２小環１０８ｂから外す（ステップＳ４１５）。この操作により、第２部材２００は第３小環１０８ｃに通り、かつ、第１支柱１０６ａ、第２支柱１０６ｂ、第３支柱１０６ｃが第２部材２００に通る状態となる。
【００８５】
次に、第２部材２００を第１小環１０８ａに通す（ステップＳ４１７）。このとき、第２小環１０８ｂには通さない。
【００８６】
次に、離脱防止部１０４を第２部材２００に通したうえ、第２部材２００を第１小環１０８ａから外す（ステップＳ４１９）。
【００８７】
次に、第１小環１０８ａと第２小環１０８ｂを第２部材２００に通したうえ、離脱防止部１０４、第１支柱１０６ａ、第２支柱１０６ｂを第２部材２００から外し、第２部材２００を第３小環１０８ｃから外す（ステップＳ４２１）。この操作により、第３支柱１０６ｃのみが第２部材２００に通り、離脱防止部１０４と第１支柱１０６ａと第２支柱１０６ｂは第２部材２００に通らない状態となる。
【００８８】
以上説明したように、第４実施形態に係る知恵の輪パズル４は、第１部材１００と第２部材２００とが分離した状態（図１５参照）から適宜操作することによって、第２部材２００に第１部材１００の第３支柱１０６ｃは通るが、離脱防止部１０４、第１支柱１０６ａ、第２支柱１０６ｂは通らない状態まで移行することができる。この逆の操作を行うことももちろん可能である。
【００８９】
このように、本発明の第４実施形態における知恵の輪パズル４は、第１から第３実施形態と同様、従来の知恵の輪にはない構造を有しているため、従来の知恵の輪にはない解き方を必要とし、興味や意欲を長期間持たせることが可能である。
【００９０】
＜第５実施形態＞
［知恵の輪パズル５の構造］
図１６は、本発明の第５実施形態における知恵の輪パズル５の第１部材１００の構造を説明する図である。第５実施形態における知恵の輪パズル５には、第１部材１００と、第２部材２００が含まれ、第１部材１００は、連結支柱１０２と、離脱防止部１０４と、第１支柱１０６ａと、第２支柱１０６ｂと、第３支柱１０６ｃと、第１小環１０８ａと、第２小環１０８ｂと、第３小環１０８ｃと、第１大鎖環１１６ａとを含む。なお、第１実施形態から第４実施形態における知恵の輪パズルの構造についての説明と共通する箇所については省略する。
【００９１】
第１大鎖環１１６ａは、第１実施形態における第１大環１１０ａと同様、環状の部材であり、第１小環１０８ａ、第２小環１０８ｂより大きくてもよい。第１大鎖環１１６ａは、第３小環１０８ｃと互いに連結する。第１大鎖環１１６ａの長軸が、第１小環１０８ａと第２小環１０８ｂの長軸の２倍以上であってもよい。
【００９２】
第１大鎖環１１６ａには、離脱防止部１０４と第１支柱１０６ａが通る。
【００９３】
離脱防止部１０４は、第１大鎖環１１６ａと第１小環１０８ａを通り、かつ、離脱防止部１０４が第１大鎖環１１６ａと第１小環１０８ａを通る状態を維持する。離脱防止部１０４は、離脱防止部１０４から第１小環１０８ａと第１大環１１０ａが外れないように機能するということもできる。したがって、第１大鎖環１１６ａは、離脱防止部１０４により可動範囲が規定されているといえる。
【００９４】
また、第１支柱１０６ａは、第１大鎖環１１６ａを通り、さらに延び第２小環１０８ｂを通る。この第２小環１０８ｂは、第２支柱１０６ｂに係止され、かつ、第１小環１０８ａにより可動範囲が規定されている。すなわち、第２小環１０８ｂは、第１支柱１０６ａから外れることはできない。したがって、第１大鎖環１１６ａは、第１支柱１０６ａから外れることはできず、第２小環１０８ｂにより可動範囲が規定されているといえる。
【００９５】
第３小環１０８ｃは、第２実施形態と同様、第２小環１０８ｂによりその可動範囲が規定される。
【００９６】
［知恵の輪パズル５の解法］
以下、本発明の第５実施形態における知恵の輪パズル５の解法について説明する。
【００９７】
まず、図１６に示すように、知恵の輪パズル５を構成する第１部材１００と第２部材２００とが分離した状態から（ステップＳ５０１）、第２部材２００の環に、第１部材１００の離脱防止部１０４と、第１支柱１０６ａと、第２支柱１０６ｂと、第３支柱１０６ｃと、第１小環１０８ａと、第２小環１０８ｂと、第３小環１０８ｃと、第１大鎖環１１６ａを通し、第２部材２００の環に離脱防止部１０４と、第１支柱１０６ａと、第２支柱１０６ｂと、第３支柱１０６ｃとが通った状態にする。次に、離脱防止部１０４の左側に位置する第１小環１０８ａと離脱防止部１０４の間の空間及び離脱防止部１０４の左側に位置する第１大鎖環１１６ａと離脱防止部１０４の間の空間に第２部材２００を通す（ステップＳ５０３）。なお、以下に説明する知恵の輪パズル４の解法を実行するに際しては、適宜、連結支柱１０２が第２部材２００に通ってもよい。
【００９８】
次に、離脱防止部１０４を第２部材２００の環から外したうえ、第２部材２００を第１大鎖環１１６ａ及び第１小環１０８ａから外す（ステップＳ５０５）。言い換えると、離脱防止部１０４が第２部材２００の環に通った状態から通っていない状態に移行させ、さらに、第２部材２００が第１大鎖環１１６ａと第１小環１０８ａとに通った状態から通っていない状態に移行させる。
【００９９】
ステップＳ５０５の操作が終了した時点では、第２部材２００の環には第１支柱１０６ａと第２支柱１０６ｂと第３支柱１０６ｃとが通っており、離脱防止部１０４は通っていない。
【０１００】
次に、第１大鎖環１１６ａと、第１支柱１０６ａの左側に位置する第２小環１０８ｂと第１支柱１０６ａの間の空間と、第１小環１０８ａとに第２部材２００を通す（ステップＳ５０７）。この操作により、第２部材２００は第１大鎖環１１６ａと第２小環１０８ｂと第１小環１０８ａとに通るということもできる。
【０１０１】
次に、第２部材２００の環に離脱防止部１０４を通したうえ、ステップＳ５０７の操作により第１小環１０８ａに通った状態にある第２部材２００を第１小環１０８ａから外す（ステップＳ５０９）。この操作により、第２部材２００は第１小環１０８ａには通らず、第１大鎖環１１６ａと第２小環１０８ｂには通る状態となる。
【０１０２】
次に、第１小環１０８ａを第２部材２００の環に通したうえ、離脱防止部１０４を第２部材２００の環から外し、第２部材２００を第２小環１０８ｂと第１大鎖環１１６ａから外す（ステップＳ５１１）。この操作により、第２支柱１０６ｂと第３支柱１０６ｃが第２部材２００に通り、離脱防止部１０４と第１支柱１０６ａは第２部材２００に通らない状態となる。
【０１０３】
次に、第２支柱１０６ｂの左側に位置する第３小環１０８ｃと第２支柱１０６ｂの間の空間及び第２小環１０８ｂとに第２部材２００を通したうえ、第２部材２００の環に離脱防止部１０４及び第１小環１０８ａを通す（ステップＳ５１３）。
【０１０４】
次に、離脱防止部１０４の左側に位置する第１小環１０８ａと離脱防止部１０４の間の空間に第２部材２００を通したうえ、離脱防止部１０４を第２部材２００の環から外し、第２部材２００を第１小環１０８ａと第２小環１０８ｂから外す（ステップＳ５１５）。この操作により、第２部材２００は第３小環１０８ｃに通ったままであり、かつ、第１支柱１０６ａ、第２支柱１０６ｂ、第３支柱１０６ｃが第２部材２００に通る状態となる。
【０１０５】
次に、第２部材２００を第１小環１０８ａに通す（ステップＳ５１７）。このとき、第２小環１０８ｂには通さない。
【０１０６】
次に、離脱防止部１０４を第２部材２００に通したうえ、第２部材２００を第１小環１０８ａから外す（ステップＳ５１９）。
【０１０７】
次に、第１小環１０８ａ、第２小環１０８ｂを第２部材２００に通したうえ、離脱防止部１０４、第１支柱１０６ａ、第２支柱１０６ｂを第２部材２００から外し、第２部材２００を第３小環１０８ｃから外す（ステップＳ５２１）。この操作により、第３支柱１０６ｃのみが第２部材２００に通り、離脱防止部１０４と第１支柱１０６ａと第２支柱１０６ｂは第２部材２００に通らない状態となる。
【０１０８】
以上説明したように、第５実施形態に係る知恵の輪パズル５は、第１部材１００と第２部材とが分離した状態（図１６参照）から適宜操作することによって、第２部材２００に第１部材１００の第３支柱１０６ｃは通るが、離脱防止部１０４、第１支柱１０６ａ、第２支柱１０６ｂは通らない状態まで移行することができる。この逆の操作を行うことももちろん可能である。
【０１０９】
このように、本発明の第５実施形態における知恵の輪パズル１は、第１から第４実施形態と同様、従来の知恵の輪にはない構造を有しているため、従来の知恵の輪にはない解き方を必要とし、興味や意欲を長期間持たせることが可能である。
【０１１０】
＜第６実施形態＞
［知恵の輪パズル６の構造］
図１７は、本発明の第６実施形態における知恵の輪パズル６の第１部材１００の構造を説明する図である。第６実施形態における知恵の輪パズル６は、第１部材１００と第２部材２００とを含み、第１部材１００は、連結支柱１０２と、離脱防止部１０４と、第１支柱１０６ａと、第２支柱１０６ｂと、小環１０８と、大環１１０とを含む。なお、第１実施形態から第５実施形態における知恵の輪パズルの構造についての説明と共通する箇所については省略する。
【０１１１】
離脱防止部１０４と第１支柱１０６ａと第２支柱１０６ｂとは連結支柱１０２から略同一方向に向かって順に延設される。
【０１１２】
第１支柱１０６ａの有する第１リング係止部１１２ａは、小環１０８を第１支柱１０６ａに揺動可能に係止する。
【０１１３】
第２支柱１０６ｂは、小環１０８を通り、さらに延びた位置に第２リング係止部１１２ｂを有する。第２リング係止部１１２ｂは、大環１１０を第２支柱１０６ｂに揺動可能に係止する。この大環１１０には離脱防止部１０４が通っており、大環１１０は離脱防止部１０４から外れることはできない。すなわち、大環１１０は、離脱防止部１０４が大環１１０に通っている状態から通っていない状態に移行するように動くことはできない。このように、大環１１０は、第２リング係止部１１２ｂにより第２支柱１０６ｂに係止された状態を維持しつつ動くことが可能であるが、この可動範囲は離脱防止部１０４により規定される。
【０１１４】
［知恵の輪パズル６の解法］
以下、本発明の第６実施形態における知恵の輪パズル６の解法について説明する。
【０１１５】
まず、図１７に示すように、知恵の輪パズル６を構成する第１部材１００と第２部材２００とが分離した状態から（ステップＳ６０１）、第２部材２００を、第２支柱１０６ｂの右側にある、小環１０８と第２支柱１０６ｂの間の空間に通す（ステップＳ６０３）。さらに、第２部材２００の環に第２支柱１０６ｂと、大環１１０と、離脱防止部１０４を通す（ステップＳ６０５）。続いて、離脱防止部１０４の左側にある、離脱防止部１０４と大環１１０の間の空間に第２部材２００を通す（ステップＳ６０７）。
【０１１６】
ステップＳ６０５の操作により第２部材２００の環に通った状態にある離脱防止部１０４を第２部材２００の環から外し、大環１１０及び小環１０８から第２部材２００を外すと、第２部材の環に連結支柱１０２が通った状態となる（ステップＳ６０９）。
【０１１７】
このように、第６実施形態における知恵の輪パズル６は、第１部材１００と第２部材とが分離した状態（図１７）から適宜操作することによって、第２部材２００に連結支柱１０２が通る状態まで移行することができる。この逆の操作を行うことももちろん可能である。
【０１１８】
このように、本発明の第６実施形態における知恵の輪パズル６は、第１から第５実施形態における知恵の輪パズルと同様、従来の知恵の輪にはない構造を有しているため、従来の知恵の輪にはない解き方を必要とし、興味や意欲を長期間持たせることが可能である。
【０１１９】
＜第７実施形態＞
［知恵の輪パズル７の構造］
図１８は、本発明の第７実施形態における知恵の輪パズル７の第１部材１００の構造を説明する図である。第７実施形態における知恵の輪パズル７は、第１部材１００と第２部材２００とを含み、第１部材１００は、連結支柱１０２と、第１離脱防止部１０４Ａと、第２離脱防止部１０４Ｂと、小環１０８と、自由環１１８とを含む。なお、第１実施形態から第６実施形態における知恵の輪パズルの構造についての説明と共通する箇所については省略する。
【０１２０】
自由環１１８は、小環１０８と同様、環状の部材である。
【０１２１】
第１離脱防止部１０４Ａと第２離脱防止部１０４Ｂとは、連結支柱１０２から略同一方向に向かって順に延設され、それぞれ自由環１１８を通り、さらに延びた位置に、第２離脱防止部１０４Ｂはリング係止部１１２を有する。
【０１２２】
第７実施形態においては、第１離脱防止部１０４Ａと第２離脱防止部１０４Ｂとは、自由環１１８を通り、その可動範囲を規定する。すなわち、第１離脱防止部１０４Ａと第２離脱防止部１０４Ｂとは、自由環１１８を通り、かつ、第１離脱防止部１０４Ａと第２離脱防止部１０４Ｂとが自由環１１８を通る状態を維持する。第１離脱防止部１０４Ａと第２離脱防止部１０４Ｂとは、第１支柱１０６ａと第２支柱１０６ｂから自由環１１８が外れないように機能するということもできる。一実施形態において、図１７に示す第１離脱防止部１０４Ａと第２離脱防止部１０４Ｂとは、自由環１１８を通り、さらに延びた箇所で互いに離れる方向に曲がった形状をしている。
【０１２３】
第２離脱防止部１０４Ｂが有するリング係止部１１２は、小環１０８を第２離脱防止部１０４Ｂに係止する。第１離脱防止部１０４Ａは前述のとおり自由環１１８に通るが、小環１０８にも通り、その可動範囲を規定する。すなわち、第１離脱防止部１０４Ａは自由環１１８及び小環１０８に通り、自由環１１８及び小環１０８から第１離脱防止部１０４Ａが外れないように機能する。
【０１２４】
［知恵の輪パズル７の第１の解法］
以下、本発明の第７実施形態における知恵の輪パズル７の第１の解法について説明する。
【０１２５】
まず、知恵の輪パズル７を構成する第１部材１００と第２部材２００とが分離した状態から（ステップＳ７０１）、第２離脱防止部１０４Ｂの右側にある、第２離脱防止部１０４Ｂと自由環１１８の間の空間に第２部材２００を通す（ステップＳ７０３）。さらに、第２部材２００の環に第２離脱防止部１０４Ｂ、小環１０８及び第１離脱防止部１０４Ａを通す（ステップＳ７０５）。
【０１２６】
次に、第２部材２００が自由環１１８に通った状態を維持しつつ、第１離脱防止部１０４Ａの左側にある、第１離脱防止部１０４Ａと小環１０８の間の空間に第２部材２００を通し（ステップＳ７０７）、さらに第２部材２００の環から第１離脱防止部１０４Ａを外し、第２部材２００を小環１０８及び自由環１１８から外すと、第２部材に連結支柱１０２が通った状態となる（ステップＳ７０９）。
【０１２７】
このように、第７実施形態における知恵の輪パズル７は、第１部材１００と第２部材２００とが分離した状態（図１７）から適宜操作することによって、第２部材２００に連結支柱１０２が通る状態まで移行することができる。この逆の操作ももちろん可能である。
【０１２８】
［知恵の輪パズル７の第２の解法］
以下、本発明の第７実施形態における知恵の輪パズル７の第２の解法について説明する。
【０１２９】
まず、知恵の輪パズル７を構成する第１部材１００と第２部材２００とが分離した状態から（ステップＳ８０１）、第１離脱防止部１０４Ａの左側にある、自由環１１８と第１離脱防止部１０４Ａの間の空間に第２部材２００を通す（ステップＳ８０３）。続いて、ステップＳ７０７からステップＳ７０９に説明した方法と同じ方法によって、第２部材２００に連結支柱１０２が通る状態まで移行することができる。この逆の操作を行うことももちろん可能である。
【０１３０】
このように、本発明の第７実施形態における知恵の輪パズル７は、第１から第６実施形態における知恵の輪パズルと同様、従来の知恵の輪パズルにはない構造を有しているため、従来の知恵の輪にはない解き方を必要とし、興味や意欲を長期間持たせることが可能である。
【０１３１】
＜第８実施形態＞
［知恵の輪パズル８の構造］
図１９は、本発明の第８実施形態における知恵の輪パズル８の第１部材１００の構造を説明する図である。第８実施形態における知恵の輪パズル８は、第１部材１００と、第２部材２００が含まれ、第１部材１００は、連結支柱１０２と、第１支柱１０６ａと、第２支柱１０６ｂと、第３支柱１０６ｃと、第４支柱１０６ｄと、小環１０８と、鎖環１１４とを含む。なお、第１実施形態から第７実施形態における知恵の輪パズルの構造についての説明と共通する説明は省略する。
【０１３２】
第８実施形態においては、図１９に示すように、第１支柱１０６ａと第４支柱１０６ｄが第２支柱１０６ｂと第３支柱１０６ｃよりも長く、また、各支柱１０６が緩やかに曲がっているものとして説明するが、各支柱１０６の形状はこれに限られるものではなく、本明細書で説明する知恵の輪パズル１の解法を実践しうる限り任意の形状をとることができる。
【０１３３】
第２支柱１０６ｂが含む第２リング係止部１１２ｂにより、第２支柱１０６ｂには小環１０８が揺動可能に係止されている。また、小環１０８は鎖環１１４と互いに連結している。そして、小環１０８にはいずれの支柱１０６も通っていないが、鎖環１１４には第３支柱１０６ｃと第４支柱１０６ｄが通っている。
【０１３４】
［知恵の輪パズル８の解法］
以下、本発明の第８実施形態における知恵の輪パズル８の解法について説明する。
【０１３５】
まず、知恵の輪パズル８を構成する第１部材１００と第２部材２００とが分離した状態から（ステップＳ９０１）、第２部材２００を鎖環１１４に通す（ステップＳ９０３）。さらに、第２部材２００の環に第４支柱１０６ｄと第３支柱１０６ｃを通し（ステップＳ９０５）、さらに移動させ、鎖環１１４から第２部材２００を外すと、第２部材２００に連結支柱１０２が通った状態となる（ステップＳ９０７）。本発明の第８実施形態における知恵の輪パズル８の解法においては、小環１０８に第２部材２００を通す必要はない。
【０１３６】
このように、第８実施形態における知恵の輪パズル８は、第１部材１００と第２部材２００とが分離した状態（図１９）から適宜操作することによって、第２部材２００に連結支柱１０２が通る状態まで移行することができる。この逆の操作を行うことももちろん可能である。
【０１３７】
このように、本発明の第８実施形態における知恵の輪パズル８は、第１から第７実施形態における知恵の輪パズルと同様、従来の知恵の輪にはない構造を有しているため、従来の知恵の輪にはない解き方を必要とし、興味や意欲を長期間持たせることが可能である。
【０１３８】
＜第９実施形態＞
［知恵の輪パズル９の構造］
図２０は、本発明の第９実施形態における知恵の輪パズル９の構造を説明する図である。第９実施形態においては、第２支柱１０６ｂが含む第２リング係止部１１２ｂにより第２支柱１０６ｂに揺動可能に係止される小環１０８に第３支柱１０６ｃが通り、小環１０８と互いに連結する鎖環１１４には第４支柱１０６ｄが通っている。他の説明は、第８実施形態における知恵の輪パズル８の構造についての説明と共通するため省略する。
【０１３９】
［知恵の輪パズル９の解法］
以下、本発明の第９実施形態における知恵の輪パズル９の解法について説明する。
【０１４０】
まず、知恵の輪パズル９を構成する第１部材１００と第２部材２００とが分離した状態から（ステップＳ１００１）、第２部材２００を鎖環１１４に通す（ステップＳ１００３）。さらに、第２部材２００の環に第４支柱１０６ｄを通し（ステップＳ１００５）、さらに第４支柱１０６ｄが第２部材２００の環に通った状態を維持しつつ、第２部材２００を鎖環１１４から外す（ステップＳ１００７）。このとき、第２部材２００は第３支柱１０６ｃと第４支柱１０６ｄの間に位置する。
【０１４１】
次に、第２部材２００を、第３支柱１０６ｃの右側にある、第３支柱１０６ｃと小環１０８の間の空間に通す（ステップＳ１００９）。第２部材２００を小環１０８に通すともいえる。続いて、第３支柱１０６ｃを第２部材２００の環に通す（ステップＳ１０１１）。さらに、第２部材２００を小環１０８から外すと、第２部材２００の環に連結支柱１０２が通った状態となる（ステップＳ１０１３）。
【０１４２】
このように、第９実施形態における知恵の輪パズル９は、第１部材１００と第２部材２００とが分離した状態（図２０）から適宜操作することによって、第２部材２００に連結支柱１０２が通る状態まで移行することができる。この逆の操作を行うことももちろん可能である。
【０１４３】
このように、本発明の第９実施形態における知恵の輪パズル９は、第１から第８実施形態における知恵の輪パズルと同様、従来の知恵の輪にはない構造を有しているため、従来の知恵の輪にはない解き方を必要とし、興味や意欲を長期間持たせることが可能である。
【０１４４】
＜第１０実施形態＞
［知恵の輪パズル１０の構造］
図２１は、本発明の第１０実施形態における知恵の輪パズル１０の構造を説明する図である。第１０実施形態においては、第２支柱１０６ｂが含む第２リング係止部１１２ｂにより第２支柱１０６ｂに揺動可能に係止される小環１０８及び小環１０８と互いに連結する鎖環１１４には第３支柱１０６ｃが通っている。他の説明は、第８実施形態における知恵の輪パズル８の構造についての説明と共通するため省略する。
【０１４５】
［知恵の輪パズル１０の解法］
以下、本発明の第１０実施形態における知恵の輪パズル１０の解法について説明する。
【０１４６】
まず、知恵の輪パズル１０を構成する第１部材１００と第２部材２００とが分離した状態から（ステップＳ１１０１）、第２部材２００の環に第４支柱１０６ｄを通す（ステップＳ１１０３）。
【０１４７】
次に、第２部材２００を、第３支柱１０６ｃの右側にある、第３支柱１０６ｃと鎖環１１４の間の空間に通し（ステップＳ１１０５）、さらに第３支柱１０６ｃの右側にある、第３支柱１０６ｃと小環１０８の間の空間に通す（ステップＳ１１０７）。続いて、第３支柱１０６ｃを第２部材２００の環に通す（ステップＳ１１０９）。さらに、第２部材２００を小環１０８及び鎖環１１４から外すと、第２部材２００に連結支柱１０２が通った状態となる（ステップＳ１１１１）。
【０１４８】
このように、第１０実施形態における知恵の輪パズル１０は、第１部材１００と第２部材２００とが分離した状態（図２１）から適宜操作することによって、第２部材２００に連結支柱１０２が通る状態まで移行することができる。この逆の操作を行うことももちろん可能である。
【０１４９】
このように、本発明の第１０実施形態における知恵の輪パズル１０は、第１から第９実施形態における知恵の輪パズルと同様、従来の知恵の輪にはない構造を有しているため、従来の知恵の輪にはない解き方を必要とし、興味や意欲を長期間持たせることが可能である。
【０１５０】
＜第１１実施形態＞
［知恵の輪パズル１１の構造］
図２２は、本発明の第１１実施形態における知恵の輪パズル１１の構造を説明する図である。第１１実施形態においては、第２支柱１０６ｂが含む第２リング係止部１１２ｂにより第２支柱１０６ｂに揺動可能に係止される小環１０８及び小環１０８と互いに連結する鎖環１１４には第３支柱１０６ｃが通っており、鎖環１１４にはさらに第４支柱１０６ｄが通っている。他の説明は、第８実施形態における知恵の輪パズル８の構造についての説明と共通するため省略する。
【０１５１】
［知恵の輪パズル１１の解法］
以下、本発明の第１１実施形態における知恵の輪パズル１１の解法について説明する。
【０１５２】
まず、知恵の輪パズル１１を構成する第１部材１００と第２部材２００とが分離した状態から（ステップＳ１２０１）、第２部材２００を鎖環１１４に通す（ステップＳ１２０３）。さらに、第２部材２００の環に第４支柱１０６ｄを通す（ステップＳ１２０５）。
【０１５３】
次に、第２部材２００を、第３支柱１０６ｃの右側にある、第３支柱１０６ｃと小環１０８の間の空間に通す（ステップＳ１２０７）。このステップＳ１２０７の操作は第２部材２００が鎖環１１４に通った状態で行われる。すなわち、ステップＳ１２０７の操作を行ったとき、第２部材２００は鎖環１１４と小環１０８の両方に通っている。
【０１５４】
続いて、第３支柱１０６ｃを第２部材２００の環に通す（ステップＳ１２０９）。さらに、第２部材２００を小環１０８及び鎖環１１４から外すと、第２部材２００に連結支柱１０２が通った状態となる（ステップＳ１２１１）。
【０１５５】
このように、第１１実施形態における知恵の輪パズル１１は、第１部材１００と第２部材２００とが分離した状態（図２２）から適宜操作することによって、第２部材２００に連結支柱１０２が通る状態まで移行することができる。この逆の操作を行うことももちろん可能である。
【０１５６】
このように、本発明の第１１実施形態における知恵の輪パズル１１は、第１から第１０実施形態における知恵の輪パズルと同様、従来の知恵の輪にはない構造を有しているため、従来の知恵の輪にはない解き方を必要とし、興味や意欲を長期間持たせることが可能である。
【０１５７】
＜第１２実施形態＞
［知恵の輪パズル１２の構造］
図２３は、本発明の第１２実施形態における知恵の輪パズル１２の構造を説明する図である。第１２実施形態における知恵の輪パズル１２は、第１小環１０８ａと、第２小環１０８ｂと、第１鎖環１１４ａと、第１鎖環１１４ａと互いに連結する第２鎖環１１４ｂとを含む。なお、第８実施形態における知恵の輪パズル８の構造についての説明と重複する説明は省略する。
【０１５８】
第１２実施形態においては、第１支柱１０６ａは第１小環１０８ａに通り、第１小環１０８ａは第２リング係止部１１２ｂにより第２支柱１０６ｂに揺動可能に係止されている。また、第２支柱１０６ｂは第２小環１０８ｂに通り、第２小環１０８ｂは第３リング係止部１１２ｃにより第３支柱１０６ｃに揺動可能に係止されている。
【０１５９】
第１鎖環１１４ａは第２鎖環１１４ｂと互いに連結している。第２支柱１０６ｂと第３支柱１０６ｃが第１鎖環１１４ａを通り、第４支柱１０６ｄが第２鎖環１１４ｂに通る。なお、この例では、第２支柱１０６ｂは連結支柱１０２から延び、第１鎖環１１４ａに通り、第２小環１０８ｂに通り、さらに延びた位置に第２リング係止部１１２ｂを有しているものとする。
【０１６０】
［知恵の輪パズル１２の第１の解法］
以下、本発明の第１２実施形態における知恵の輪パズル１２の第１の解法について説明する。
【０１６１】
まず、知恵の輪パズル１２を構成する第１部材１００と第２部材２００とが分離した状態から（ステップＳ１３０１）、第２部材２００を第２鎖環１１４ｂに通す（ステップＳ１３０３）。さらに、第２部材２００の環に第４支柱１０６ｄを通し（ステップＳ１３０５）、第４支柱１０６ｄが第２部材２００の環に通った状態を維持しつつ、第２鎖環１１４ｂから第２部材２００を外す（ステップＳ１３０７）。このとき、第２部材２００は第３支柱１０６ｃと第４支柱１０６ｄの間に位置する。
【０１６２】
次に、第１鎖環１１４ａに第２部材２００を通し（ステップＳ１３０９）、さらに第２部材２００の環に第１支柱１０６ａ、第１小環１０８ａ及び第２小環１０８ｂを通す（ステップＳ１３１１）。
【０１６３】
次に、第１支柱１０６ａの左側にある、第１小環１０８ａと第１支柱１０６ａの間の空間に第２部材２００を通し（ステップＳ１３１３）、さらに第２部材２００の環から第１支柱１０６ａを外し、第２部材２００を第１小環１０８ａ及び第１鎖環１１４ａから外す（ステップＳ１３１５）。
【０１６４】
次に、第１鎖環１１４ａ、第２小環１０８ｂ及び第１小環１０８ａに第２部材２００を通し（ステップＳ１３１７）、さらに、第１支柱１０６ａを第２部材２００に通す（ステップＳ１３１９）。
【０１６５】
次に、第２部材２００を第１小環１０８ａから外し（ステップＳ１３２１）、第１小環１０８ａを第２部材２００の環に通す（ステップＳ１３２３）。そして、第１支柱１０６ａを第２部材２００の環から外し（ステップＳ１３２５）、第２部材２００を第２小環１０８ｂ及び第１鎖環１１４ａから外すと、第２部材２００に連結支柱１０２が通った状態となる（ステップＳ１３２７）。
【０１６６】
このように、第１２実施形態における知恵の輪パズル１２は、第１部材１００と第２部材２００とが分離した状態（図２３）から適宜操作することによって、第２部材２００に連結支柱１０２が通る状態まで移行することができる。この逆の操作を行うことももちろん可能である。
【０１６７】
［知恵の輪パズル１２の第２の解法］
以下、本発明の第１２実施形態における知恵の輪パズル１２の第２の解法について説明する。
【０１６８】
まず、知恵の輪パズル１２を構成する第１部材１００と第２部材２００とが分離した状態から（ステップＳ１４０１）、第１支柱１０６ａの左側にある、第１小環１０８ａと第１支柱１０６ａの間の空間に第２部材２００を通す（ステップＳ１４０３）。続いて、ステップＳ１３１５からステップＳ１３２７に説明した方法と同じ方法によって、第２部材２００に連結支柱１０２が通った状態となる。
【０１６９】
このように、第１２実施形態に係る知恵の輪パズル１２は、２つの方法によって、第１部材１００と第２部材２００とが分離した状態（図２３）から適宜操作することによって、第２部材２００に連結支柱１０２が通る状態まで移行することができる。この逆の操作を行うことももちろん可能である。
【０１７０】
このように、本発明の第１２実施形態における知恵の輪パズル１２は、第１から第１１実施形態と同様、従来の知恵の輪にはない構造を有しているため、従来の知恵の輪にはない解き方を必要とし、興味や意欲を長期間持たせることが可能である。
【０１７１】
＜第１３実施形態＞
［知恵の輪パズル１３の構造］
図２４は、本発明の第１３実施形態における知恵の輪パズル１３の構造を説明する図である。第１３実施形態においては、第２支柱１０６ｂに第１小環１０８ａが揺動可能に係止され、第３支柱１０６ｃに第２小環１０８ｂが揺動可能に係止されている。また、第２小環１０８ｂと鎖環１１４が互いに連結している。そして、第３支柱１０６ｃは、連結支柱１０２から延び、鎖環１１４を通り、第１小環１０８ａを通り、さらに延びた位置に第３リング係止部１１２ｃを有し第２小環１０８ｂを揺動可能に係止している。
【０１７２】
この構造を持つ知恵の輪パズル１３は、第１部材１００と第２部材２００とが分離した状態において操作しても、第２部材２００に連結支柱１０２が通る状態まで移行することはできない。
【０１７３】
本発明に係る実施形態として説明した知恵の輪を基にして、当業者が適宜構成要件の追加、削除もしくは設計変更を行ったもの、又は、工程の追加、省略もしくは条件変更を行ったものも、本発明の要旨を備えている限り、本発明の範囲に含まれる。また、上述した各実施形態は、技術的矛盾の生じない範囲において、相互に組み合わせることが可能である。
【０１７４】
また、上述した実施形態の態様によりもたらされる作用効果とは異なる他の作用効果であっても、本明細書等の記載から明らかなもの、又は、当業者において容易に予測しうるものについては、当然に本発明によりもたらされるものと解される。
【符号の説明】
【０１７５】
１…知恵の輪パズル、１００…第１部材、１０２…連結支柱、１０４…離脱防止部、１０４Ａ…第１離脱防止部、１０４Ｂ…第２離脱防止部、１０６…支柱、１０６ａ…第１支柱、１０６ｂ…第２支柱、１０６ｃ…第３支柱、１０６ｄ…第４支柱、１０８…小環、１０８ａ…第１小環、１０８ｂ…第２小環、１０８ｃ…第３小環、１１０ａ…第１大環、１１０ｂ…第２大環、１１２ａ…第１リング係止部、１１２ｂ…第２リング係止部、１１２ｃ…第３リング係止部、１１４…鎖環、１１４ａ…第１鎖環、
１１４ｂ…第２鎖環、１１６ａ…第１大鎖環、１１８…自由環、２００…第２部材
【図１】
2019083832.tif 000003
【図２】
2019083832.tif 000004
【図３】
2019083832.tif 000005
【図４】
2019083832.tif 000006
【図５】
2019083832.tif 000007
【図６】
2019083832.tif 000008
【図７】
2019083832.tif 000009
【図８】
2019083832.tif 000010
【図９】
2019083832.tif 000011
【図１０】
2019083832.tif 000012
【図１１】
2019083832.tif 000013
【図１２】
2019083832.tif 000014
【図１３】
2019083832.tif 000015
【図１４】
2019083832.tif 000016
【図１５】
2019083832.tif 000017
【図１６】
2019083832.tif 000018
【図１７】
2019083832.tif 000019
【図１８】
2019083832.tif 000020
【図１９】
2019083832.tif 000021
【図２０】
2019083832.tif 000022
【図２１】
2019083832.tif 000023
【図２２】
2019083832.tif 000024
【図２３】
2019083832.tif 000025
【図２４】
2019083832.tif 000026